【手続補正書】
【提出日】平成18年2月14日(2006.2.14)
【手続補正１】
【補正対象書類名】明細書
【補正対象項目名】特許請求の範囲
【補正方法】変更
【補正の内容】
【特許請求の範囲】
【請求項１】  解像度または画質の劣化の程度が時間方向に異なる画像信号に対し、注目フレーム中の第１の領域と上記注目フレームに対して所定フレーム前に出力したフレーム中の第２の領域との間で差分をとり、上記差分に基づいて上記第１の領域が静止画部分／動画部分の何れであるかを判定する静動判定手段と、
上記第１の領域内のアクティビティの尺度となる量を計算する第１の計算手段と、
上記第２の領域内のアクティビティの尺度となる量を計算する第２の計算手段と、
上記静動判定手段によって上記第１の領域が動画部分であると判定される場合に上記第１の領域内の画像データを出力し、上記静動判定手段によって上記第１の領域が静止画部分であると判定される場合に、上記第１の計算手段の出力と上記第２の計算手段の出力とを比較し、比較結果に基づいて、上記第１の領域と上記第２の領域との内でアクティビティがより大きいと判定される領域内の画像データを出力する出力画像決定手段とを有することを特徴とする画像処理装置。
【請求項２】  請求項１において、
上記画像信号は、
フレーム間相関を利用してなされる符号化方法によって符号化されたディジタル信号から復号される画像信号であることを特徴とする画像処理装置。
【請求項３】  請求項１において、
上記第１および第２の計算手段は、
上記アクティビティの尺度となる量として、上記第１および第２の領域内の分散を計算することを特徴とする画像処理装置。
【請求項４】  請求項１において、
上記第１のおよび第２の計算手段は、
上記アクティビティの尺度となる量として、上記第１および第２の領域内のダイナミックレンジを計算することを特徴とする画像処理装置。
【請求項５】  請求項１において、
上記出力画像決定手段は、
上記静動判定手段によって上記第１の領域が動画部分であると判定される場合に、上記第１の領域内の注目画素を出力することを特徴とする画像処理装置。
【請求項６】  請求項１において、
上記出力画像決定手段は、
上記静動判定手段によって上記第１の領域が動画部分であると判定される場合に、上記第１の領域を出力することを特徴とする画像処理装置。
【請求項７】  請求項１において、
上記出力画像決定手段は、
上記静動判定手段によって上記第１の領域が静止画部分であると判定される場合に、上記第１の計算手段の出力と上記第２の計算手段の出力とを比較し、比較結果に基づいて、上記第１の領域と上記第２の領域の内でアクティビティがより大きいと判定される領域内の注目画素または上記注目画素と同一位置の画素を出力することを特徴とする画像処理装置。
【請求項８】  請求項１において、
上記出力画像決定手段は、
上記静動判定手段によって上記第１の領域が静止画部分であると判定される場合に、上記第１の計算手段の出力と上記第２の計算手段の出力とを比較し、比較結果に基づいて、上記第１の領域と上記第２の領域の内でアクティビティがより大きいと判定される領域を出力することを特徴とする画像処理装置。
【請求項９】  解像度または画質の劣化の程度が時間方向に異なる画像信号に対し、注目フレームと上記注目フレームに対して所定フレーム前に出力したフレームとの間で動きを検出する動き検出手段と、
上記注目フレーム中の第１の領域内のアクティビティの尺度となる量を計算する第１の計算手段と、
上記動き検出手段の出力に基づいて、上記注目フレームに対して所定フレーム前に出力したフレームに対する画素位置補整処理を施し、上記画素位置補整処理が施されてなる画像信号中の第２の領域内のアクティビティの尺度となる量を計算する第２の計算手段と、
上記第１の計算手段の出力と上記第２の計算手段の出力とを比較し、比較結果に基づいて、上記第１の領域と上記第２の領域との内でアクティビティがより大きいと判定される領域内の画像データを出力する出力画像決定手段とを有することを特徴とする画像処理装置。
【請求項１０】  請求項９において、
上記画像信号は、
フレーム間相関を利用してなされる符号化方法によって符号化されたディジタル信号から復号される画像信号であることを特徴とする画像処理装置。
【請求項１１】  請求項９において、
上記第１のおよび第２の計算手段は、
上記アクティビティの尺度となる量として、上記第１および第２の領域内の分散を計算することを特徴とする画像処理装置。
【請求項１２】  請求項９において、
上記第１のおよび第２の計算手段は、
上記アクティビティの尺度となる量として、上記第１および第２の領域内のダイナミックレンジを計算することを特徴とする画像処理装置。
【請求項１３】  請求項９において、
上記出力画像決定手段は、
上記第１の計算手段の出力と上記第２の出力とを比較し、比較結果に基づいて、上記第１の領域と上記第２の領域との内でアクティビティがより大きいと判定される領域内の注目画素または上記注目画素と同一位置の画素を出力することを特徴とする画像処理装置。
【請求項１４】  請求項９において、
上記出力画像決定手段は、
上記第１の計算手段の出力と上記第２の計算手段の出力とを比較し、比較結果に基づいて、上記第１の領域と上記第２の領域との内でアクティビティがより大きいと判定される領域を出力することを特徴とする画像処理装置。
【請求項１５】  解像度または画質の劣化の程度が時間方向に異なる画像信号に対し、注目フレーム中の第１の領域と上記注目フレームに対して所定フレーム前に出力したフレーム中の第２の領域との間で差分をとり、上記差分に基づいて上記第１の領域が静止画部分／動画部分の何れであるかを判定する静動判定ステップと、
上記第１の領域内のアクティビティの尺度となる量を計算する第１の計算ステップと、
上記第２の領域内のアクティビティの尺度となる量を計算する第２の計算ステップと、
上記静動判定ステップによって上記第１の領域が動画部分であると判定される場合に上記第１の領域内の画像データを出力し、上記静動判定ステップによって上記第１の領域が静止画部分であると判定される場合に、上記第１の計算ステップの結果と上記第２の計算ステップの結果とを比較し、比較結果に基づいて、上記第１の領域と上記第２の領域との内でアクティビティがより大きいと判定される領域内の画像データを出力する出力画像決定ステップとを有することを特徴とする画像処理方法。
【請求項１６】  解像度または画質の劣化の程度が時間方向に異なる画像信号に対し、注目フレームと上記注目フレームに対して所定フレーム前に出力したフレームとの間で動きを検出する動き検出ステップと、
上記注目フレーム中の第１の領域内のアクティビティの尺度となる量を計算する第１の計算ステップと、
上記動き検出ステップの結果に基づいて、上記注目フレームに対して所定フレーム前に出力したフレームに対する画素位置補整処理を施し、上記画素位置補整処理が施されてなる画像信号中の第２の領域内のアクティビティの尺度となる量を計算する第２の計算ステップと、
上記第１の計算ステップの結果と上記第２の計算ステップの結果とを比較し、比較結果に基づいて、上記第１の領域と上記第２の領域との内でアクティビティがより大きいと判定される領域内の画像データを出力する出力画像決定ステップとを有することを特徴とする画像処理方法。
【手続補正２】
【補正対象書類名】明細書
【補正対象項目名】０００７
【補正方法】変更
【補正の内容】
【０００７】
【課題を解決するための手段】
請求項１の発明は、解像度または画質の劣化の程度が時間方向に異なる画像信号に対し、注目フレーム中の第１の領域と注目フレームに対して所定フレーム前に出力したフレーム中の第２の領域との間で差分をとり、差分に基づいて第１の領域が静止画部分／動画部分の何れであるかを判定する静動判定手段と、
第１の領域内のアクティビティの尺度となる量を計算する第１の計算手段と、
第２の領域内のアクティビティの尺度となる量を計算する第２の計算手段と、
静動判定手段によって第１の領域が動画部分であると判定される場合に第１の領域内の画像データを出力し、静動判定手段によって第１の領域が静止画部分であると判定される場合に、第１の計算手段の出力と第２の計算手段の出力とを比較し、比較結果に基づいて、第１の領域と第２の領域との内でアクティビティがより大きいと判定される領域内の画像データを出力する出力画像決定手段とを有することを特徴とする画像処理装置である。
【手続補正３】
【補正対象書類名】明細書
【補正対象項目名】０００８
【補正方法】変更
【補正の内容】
【０００８】
請求項９の発明は、解像度または画質の劣化の程度が時間方向に異なる画像信号に対し、注目フレームと注目フレームに対して所定フレーム前に出力したフレームとの間で動きを検出する動き検出手段と、
注目フレーム中の第１の領域内のアクティビティの尺度となる量を計算する第１の計算手段と、
動き検出手段の出力に基づいて、注目フレームに対して所定フレーム前に出力したフレームに対する画素位置補整処理を施し、画素位置補整処理が施されてなる画像信号中の第２の領域内のアクティビティの尺度となる量を計算する第２の計算手段と、
第１の計算手段の出力と第２の計算手段の出力とを比較し、比較結果に基づいて、第１の領域と第２の領域との内でアクティビティがより大きいと判定される領域内の画像データを出力する出力画像決定手段とを有することを特徴とする画像処理装置である。
【手続補正４】
【補正対象書類名】明細書
【補正対象項目名】０００９
【補正方法】変更
【補正の内容】
【０００９】
請求項１５の発明は、解像度または画質の劣化の程度が時間方向に異なる画像信号に対し、注目フレーム中の第１の領域と注目フレームに対して所定フレーム前に出力したフレーム中の第２の領域との間で差分をとり、差分に基づいて第１の領域が静止画部分／動画部分の何れであるかを判定する静動判定ステップと、
第１の領域内のアクティビティの尺度となる量を計算する第１の計算ステップと、
第２の領域内のアクティビティの尺度となる量を計算する第２の計算ステップと、
静動判定ステップによって第１の領域が動画部分であると判定される場合に第１の領域内の画像データを出力し、静動判定ステップによって第１の領域が静止画部分であると判定される場合に、第１の計算ステップの結果と第２の計算ステップの結果とを比較し、比較結果に基づいて、第１の領域と第２の領域との内でアクティビティがより大きいと判定される領域内の画像データを出力する出力画像決定ステップとを有することを特徴とする画像処理方法である。
【手続補正５】
【補正対象書類名】明細書
【補正対象項目名】００１０
【補正方法】変更
【補正の内容】
【００１０】
請求項１６の発明は、解像度または画質の劣化の程度が時間方向に異なる画像信号に対し、注目フレームと注目フレームに対して所定フレーム前に出力したフレームとの間で動きを検出する動き検出ステップと、
注目フレーム中の第１の領域内のアクティビティの尺度となる量を計算する第１の計算ステップと、
動き検出ステップの結果に基づいて、注目フレームに対して所定フレーム前に出力したフレームに対する画素位置補整処理を施し、画素位置補整処理が施されてなる画像信号中の第２の領域内のアクティビティの尺度となる量を計算する第２の計算ステップと、
第１の計算ステップの結果と第２の計算ステップの結果とを比較し、比較結果に基づいて、第１の領域と第２の領域との内でアクティビティがより大きいと判定される領域内の画像データを出力する出力画像決定ステップとを有することを特徴とする画像処理方法である。